(57)【要約】      （修正有）【課題】ウェットティッシュを容易に取り出すことができるウェットティッシュ容器およびウェットティッシュ製品を提供する。【解決手段】容器本体１２と容器本体１２の開口を閉じる蓋体１４とを有し、連続取出し可能に折り畳まれ積層された複数枚のウェットティッシュの全体をウェットティッシュの積層面の折り畳み線に沿う幅中央線でＶ形またはＵ形に折り曲げられた状態に容器本体１２内に収容するウェットティッシュ容器１０であって、容器本体１２の一面部より容器内方に隆起して設けられ、複数枚のウェットティッシュの全体をＶ形またはＵ形に折り曲げられた状態に載置可能または立て掛け可能な峰部１１と、峰部１１の隆起方向に対応する容器面または峰部１１の峰方向に対応する容器面に設けられ、前記ウェットティッシュを順に取り出すための取出口と、を有する。【選択図】図１
2018070167.tif 000002
【特許請求の範囲】
【請求項１】
容器本体と前記容器本体の開口を閉じる蓋体とを有し、連続取出し可能に折り畳まれ積層された複数枚のウェットティッシュの全体を前記ウェットティッシュの積層面の折り畳み線に沿う幅中央線でＶ形またはＵ形に折り曲げられた状態に前記容器本体内に収容するウェットティッシュ容器であって、
容器本体の一面部より容器内方に隆起して設けられ、前記複数枚のウェットティッシュの全体をＶ形またはＵ形に折り曲げられた状態に載置可能または立て掛け可能な峰部と、
前記峰部の隆起方向に対応する容器面または前記峰部の峰方向に対応する容器面に設けられ、前記ウェットティッシュを順に取り出すための取出口と、を有することを特徴とするウェットティッシュ容器。
【請求項２】
前記容器本体は、平面部と筒面部とを含む略蒲鉾形状、または直方体形状であり、
前記峰部は、前記平面部より設けられ前記容器内を上方向に隆起していることを特徴とする請求項１に記載のウェットティッシュ容器。
【請求項３】
前記取出口は、前記峰部の隆起方向に対向する容器面の上面位置もしくは側面位置、または前記峰部の峰方向に対向する容器本体または蓋体の上面位置もしくは側面位置に設けられていることを特徴とする請求項１または２に記載のウェットティッシュ容器。
【請求項４】
前記取出口に、取り出されるウェットティッシュと次のウェットティッシュとを引き離すセパレータが設けられていることを特徴とする請求項１〜３のいずれか一項に記載のウェットティッシュ容器。
【請求項５】
積層された複数枚のウェットティッシュと、請求項１〜４のいずれか１項に記載のウェットティッシュ容器と、を備え、前記ウェットティッシュが前記ウェットティッシュ容器に収容されたことを特徴とするウェットティッシュ製品。
【発明の詳細な説明】
【技術分野】
【０００１】
本発明は、ウェットティッシュ容器およびウェットティッシュ製品に関する。
【背景技術】
【０００２】
従来より、長尺のウェットティッシュをロール状に巻き回した状態、または折り重ねた状態で収容する樹脂製のウェットティッシュ容器が用いられている。通常、ウェットティッシュ容器の上部側には、ウェットティッシュを取り出すための取出口が設けられ、この取出口には、ウェットティッシュを切断するためのスリットや十字孔などが設けられている。
【０００３】
長尺の連続的なウェットティッシュには、一定間隔で切断用のミシン目が形成されており、容器から取り出す際に取出口のスリットや十字孔などに通すときに作用する摩擦抵抗力によってミシン目で切断されるようになっている。また、取出口にはカバーが被せられるようになっており、使用後には、カバーを被せてウェットティッシュに含まれている薬液などの溶液が蒸発しないようにしている（例えば、特許文献１参照）。
【０００４】
特許文献１には、所定間隔で分断用の切り込みが形成された長尺の湿潤ペーパーを収容するウェットティッシュペーパー収容容器が開示されている。この容器のウェットティッシュペーパーの取出口である誘導孔には弾性突片が設けられ、ウェットティッシュペーパーを分断用切り込みの箇所で非収縮状態で分断できるようになっている。
【先行技術文献】
【特許文献】
【０００５】
【特許文献１】実開平５−３１７１号公報
【発明の概要】
【発明が解決しようとする課題】
【０００６】
しかしながら、特許文献１に記載のウェットティッシュペーパー収容容器にあっては、ウェットティッシュ取出口の弾性突片でウェットティッシュペーパーの切り込み部分を切断する構成であり、取り出す際に容器が動かないように手で容器を押えておく必要があり、ウェットティッシュを取り出し難かった。
【０００７】
また、特許文献１に記載のウェットティッシュペーパー収容容器では、折り畳まれた長尺のウェットティッシュが平坦な容器底面に載置されているので、特にウェットティッシュの残量が少なくなり、次に取り出すウェットティッシュの一部が取出口から出ていない状態になったときに容器の底にあるウェットティッシュを取出口から引き出すのが容易でなかった。
【０００８】
本発明は、上述のような課題を解決するためになされたもので、ウェットティッシュを容易に取り出すことができるウェットティッシュ容器およびウェットティッシュ製品を提供することを目的とする。
【課題を解決するための手段】
【０００９】
本発明に係るウェットティッシュ容器は、上記目的達成のため、容器本体と前記容器本体の開口を閉じる蓋体とを有し、連続取出し可能に折り畳まれ積層された複数枚のウェットティッシュの全体を前記ウェットティッシュの積層面の折り畳み線に沿う幅中央線でＶ形またはＵ形に折り曲げられた状態に前記容器本体内に収容するウェットティッシュ容器であって、容器本体の一面部より容器内方に隆起して設けられ、前記複数枚のウェットティッシュの全体をＶ形またはＵ形に折り曲げられた状態に載置可能または立て掛け可能な峰部と、前記峰部の隆起方向に対応する容器面または前記峰部の峰方向に対応する容器面に設けられ、前記ウェットティッシュを順に取り出すための取出口と、を有することを特徴とする。
【００１０】
上述のように、本発明に係るウェットティッシュ容器では、複数枚のウェットティッシュの全体をＶ形またはＵ形に折り曲げられた状態に載置可能または立て掛け可能な峰部が、容器本体の一面部より容器内方に隆起して設けられている。これにより、ウェットティッシュを順に取り出すための取出口が、峰部の隆起方向に対応する容器面に設けられている場合には、峰部によって嵩上げされた分だけウェットティッシュと取出口との距離が縮まり、取出口からウェットティッシュを引き出し易くなる。また、ウェットティッシュの取出口が峰部の峰方向に対応する容器面に設けられている場合には、積層下端部のウェットティッシュと取出口との距離が縮まり、取出口からウェットティッシュを引き出し易くなる。
【００１１】
しかも、本発明に係るウェットティッシュ容器は、連続取出し可能に折り畳まれ積層された複数枚のウェットティッシュを収容するようになっているので、ウェットティッシュを取り出す際に切断する必要がない。
【００１２】
したがって、本発明に係るウェットティッシュ容器は、ウェットティッシュを容易に取り出すことができる。
【００１３】
また、本発明に係るウェットティッシュ容器では、前記容器本体は、平面部と筒面部とを含む略蒲鉾形状、または直方体形状であり、前記峰部は、前記平面部より設けられ前記容器内を上方向に隆起した構成であってもよい。
【００１４】
この構成により、ウェットティッシュ容器は、平面部を下にした安定した横置き姿勢で使用することができる。
【００１５】
また、本発明に係るウェットティッシュ容器では、前記取出口は、前記峰部の隆起方向に対向する容器面の上面位置もしくは側面位置、または前記峰部の峰方向に対向する容器本体または蓋体の上面位置もしくは側面位置に設けられた構成であってもよい。
【００１６】
この構成により、容器面、容器本体、または蓋体における取出口の位置が容器上面または容器側面にあるので、ウェットティッシュ容器を縦置き姿勢でも横置き姿勢でも使用することができる。
【００１７】
また、本発明に係るウェットティッシュ容器では、前記取出口に、取り出されるウェットティッシュと次のウェットティッシュとを引き離すセパレータが設けられた構成であってもよい。
【００１８】
この構成により、ウェットティッシュをより確実に１枚ずつ取出口から取り出すことができる。
【００１９】
また、本発明に係るウェットティッシュ製品は、積層された複数枚のウェットティッシュと、上記いずれかに記載のウェットティッシュ容器と、を備え、前記ウェットティッシュが前記ウェットティッシュ容器に収容されたことを特徴とする。
【発明の効果】
【００２０】
本発明によれば、ウェットティッシュを容易に取り出すことができるウェットティッシュ容器およびウェットティッシュ製品を提供することができる。
【図面の簡単な説明】
【００２１】
【図１】（ａ）本発明の第１の実施の形態に係るウェットティッシュ容器の斜視図であり、（ｂ）は（ａ）のウェットティッシュ容器を斜め後方から見た斜視図であり、（ｃ）は（ｂ）のＡ−Ａ断面図であり、（ｄ）は（ｂ）のＢ−Ｂ断面図である。
【図２】図１のウェットティッシュ容器の分解斜視図である。
【図３】図１のウェットティッシュ容器の使用時の斜視図である。
【図４】図３のＣ−Ｃ縦断面図であり、（ａ）は取出口のカバーが開いた状態、（ｂ）は取出口のカバーが閉じた状態を示す。
【図５】図３のＤ−Ｄ横断面図であり、（ａ）は取出口のカバーが開いた状態、（ｂ）は取出口のカバーが閉じた状態を示す。
【図６】（ａ）本発明の第２の実施の形態に係るウェットティッシュ容器の斜視図であり、（ｂ）は（ａ）のウェットティッシュ容器を斜め後方から見た斜視図であり、（ｃ）は（ｂ）のＥ−Ｅ断面図であり、（ｄ）は（ｂ）のＦ−Ｆ断面図である。
【図７】図６のウェットティッシュ容器の分解斜視図である。
【図８】図６のウェットティッシュ容器の使用時の斜視図である。
【図９】図８のＧ−Ｇ縦断面図であり、（ａ）は取出口のカバーが開いた状態、（ｂ）は取出口のカバーが閉じた状態を示す。
【図１０】図８のＨ−Ｈ横断面図である。
【発明を実施するための形態】
【００２２】
以下、本発明の実施の形態について、図面を参照して説明する。
【００２３】
［第１の実施形態］
図１および図２に示すように、本発明の第１の実施形態に係るウェットティッシュ容器１０は、有底筒状の容器本体１２と、容器本体１２の開口１３を閉じる蓋体１４とを有している。そして、容器本体１２の一端面部１２ｄに設けられた雄ネジ付き開口筒部１２ｅが、蓋体１４の雌ネジ付き筒部１４ｂに取り付けられることで、閉鎖容器を形成するようになっている。
【００２４】
容器本体１２は、平面部１２ａと筒面部１２ｂと端面部１２ｃ、１２ｄと開口筒部１２ｅとを含む略蒲鉾形状である。なお、容器本体１２の形状はこれに限定されず、直方体形状であってもよい。また、蓋体１４は、平面部１４ａと雌ネジ付き筒部１４ｂと端面部１４ｃとを有している。
【００２５】
ウェットティッシュ容器１０は、例えば、ポリプロピレン、ポリエチレン、ポリ塩化ビニル、ポリスチレン、ポリエステル系の樹脂などを用いて、射出成形やブロー成形によって製造される。
【００２６】
本実施形態は、蓋体１４の雌ネジ付き筒部１４ｂが容器本体１２の雄ネジ付き筒部１２ｅに取り付けられる構成であるが、容器本体１２と蓋体１４の構成はこれに限定されない。例えば、蓋体をヒンジを介して容器本体に取り付ける構成や、圧入で取り付ける構成や、バックルを用いて取り付ける構成としてもよい。
【００２７】
また、図２に示すように、連続取出し可能に折り畳まれ積層された複数枚のウェットティッシュ４０の全体４５が、パッケージ４２に入れられた状態で、容器本体１２の開口１３から容器本体１２に収容されるようになっている。具体的には、ウェットティッシュ４０の全体４５が、ウェットティッシュ４０の積層面の折り畳み線４０ｃに沿う幅中央線４０ｄでＶ形またはＵ形に折り曲げられた状態で、容器本体１２内に収容されるようになっている。図２に示すウェットティッシュ４０の積層面の折り畳み線４０ｃは、図３、図４に示すようにウェットティッシュ４０がウェットティッシュ容器１０に収容された状態で、容器長手方向（Ｙ軸方向）に平行になる。
【００２８】
図１に示すように、ウェットティッシュ容器１０は、容器本体１２の一面部である平面部１２ａより容器内方に上方向に隆起して設けられた峰部１１を有している。この峰部１１は、図５の横断面図に示すように、複数枚のウェットティッシュ４０の全体４５をＶ形またはＵ形に折り曲げられた状態に載置できるようになっている。また、容器本体１２の端面部１２ｃを下にしてウェットティッシュ容器１０を縦置き姿勢にする場合には、峰部１１は、複数枚のウェットティッシュ４０の全体４５をＶ形またはＵ形に折り曲げられた状態に立て掛け可能になっている。また、峰部１１は、平面部１２ａから立ち上がる１本以上のリブであってもよい。
【００２９】
また、図２に示すように、ウェットティッシュ容器１０は、峰部１１の隆起方向に対応する容器面に、ウェットティッシュ４０を順に取り出すための取出口１６を有している。具体的には、取出口１６は、峰部１１の隆起方向に対向する筒面部１２ｂの上面位置（横置き姿勢の場合）もしくは側面位置（縦置き姿勢の場合）に設けられている。
【００３０】
図３は、ウェットティッシュ容器１０の使用時の斜視図であり、図４はそのＣ−Ｃ縦断面図であり、図５はＤ−Ｄ横断面図である。
【００３１】
容器本体１２は、図４に示すように、平面部１２ａにおいて端面部１２ｃ側から所定の範囲に、図５に示すような断面Ｖ形またはＵ形の峰部１１を備えており、ウェットティッシュ容器１０を横置き姿勢で使用できるようになっている。ただし、峰部１１の形成範囲は、これに限定されるものではなく、平面部１２ａの全体範囲にわたって形成されるようにしてもよい。また、ウェットティッシュ容器１０は、容器本体１２が平坦な端面部１２ｃを備えており、ウェットティッシュ容器１０を縦置き姿勢で使用できるようになっている。
【００３２】
図２に示すように、取出口１６は、容器本体１２の湾曲した筒面部１２ｂの略中央に形成された矩形凹部１６ａと、その略中央に形成された楕円形の貫通孔１６ｂと、貫通孔１６ｂの周縁に形成された楕円状の凸部１６ｃとを有している。また、指でカバー部１７を開けやすいように、矩形凹部１６ａの一端縁に凹部１６ｄが形成されている。
【００３３】
取出口１６には、該取出口を開閉自在に閉鎖するカバー部１７が設けられている。カバー部１７は、容器本体１２の筒面部１２ｂと略同じ曲率で湾曲したカバー本体１７ａと、貫通孔１６ｂの周縁に設けられた楕円状の凸部１６ｃの外側に液密状に嵌る楕円状の凸部１７ｃとを有している。カバー部１７は、ヒンジ部１７ｂを介して容器本体１２の筒面部１２ｂに取り付けられている。
【００３４】
また、図５に示すように、ウェットティッシュ４０は、連続取出し可能に折り畳まれ積層されている。すなわち、積層方向上端側の一のウェットティッシュ４０ａを持ち上げると、その下に積層されたウェットティッシュも取出口まで連れられて持ち上がり、連続して取り出せるようになっている。このようないわゆるポップアップ式の積層体を形成するウェットティッシュの折り畳み方法は、公知の任意の方法が採用できる。
【００３５】
図２に示すように、ウェットティッシュ４０は、パッケージ４２に入れられた状態でウェットティッシュ容器１０に収容されるようになっている。また、積層方向のパッケージ面には、開口部４４が形成されるようになっている。開口部４４は、シール片を剥がして露出させる。
【００３６】
積層されたウェットティッシュ４０は、積層方向上端側から一のウェットティッシュ４０ａが持ち上げられ、パッケージ４２の開口部４４および容器の取出口１６を介して取り出されるようになっている。
【００３７】
本実施形態では、パッケージ４２に入れられた状態のウェットティッシュ４０が用いられているが、これに限定されない。パッケージ４２のない状態の積層された複数枚のウェットティッシュ４０をそのまま用いてもよい。
【００３８】
次に、作用効果について説明する。
【００３９】
上述のように、本発明の実施の形態に係るウェットティッシュ容器１０では、複数枚のウェットティッシュ４０の全体４５をＶ形またはＵ形に折り曲げられた状態に載置可能または立て掛け可能な峰部１１が、容器本体１２の平面部１２ａより容器内方に隆起して設けられている。これにより、峰部１１によって嵩上げされた分だけウェットティッシュ４０と取出口１６との距離が縮まり、取出口１６からウェットティッシュ４０を引き出し易くなる。
【００４０】
しかも、本発明の実施の形態に係るウェットティッシュ容器１０は、連続取出し可能に折り畳まれ積層された複数枚のウェットティッシュ４０を収容するようになっているので、ウェットティッシュ４０を取り出す際にシート毎に分離して取り出される。
【００４１】
したがって、本発明の実施の形態に係るウェットティッシュ容器１０は、ウェットティッシュ４０を容易に取り出すことができる。
【００４２】
また、本発明の実施の形態に係るウェットティッシュ容器１０では、容器本体１２は、平面部１２ａと筒面部１２ｂとを含む略蒲鉾形状であり、峰部１１は、平面部１２ａより設けられ容器内を上方向に隆起した構成である。この構成により、ウェットティッシュ容器１０は、平面部１２ａを下にした安定した横置き姿勢で使用することができる。
【００４３】
また、本発明の実施の形態に係るウェットティッシュ容器１０では、取出口１６は、峰部１１の隆起方向に対向する筒面部１２ｂの上面位置もしくは側面位置に設けられた構成である。この構成により、取出口１６の位置が容器上面または容器側面にあるので、ウェットティッシュ容器１０を縦置き姿勢でも横置き姿勢でも使用することができる。
【００４４】
［第２の実施形態］
次に、本発明の第２の実施形態に係るウェットティッシュ容器２０を説明する。
【００４５】
第２の実施形態に係るウェットティッシュ容器２０は、取出口２８が蓋体２４に設けられている点で、取出口１６が容器本体１２に設けられている第１の実施形態とは異なっている。
【００４６】
図７に示すように、ウェットティッシュ４０を順に取り出すための取出口２８は、峰部２１の峰方向に対応する蓋体２４に設けられている。具体的には、取出口２８は、峰部２１の峰方向に対向する蓋体２４の上面位置または側面位置に設けられている。すなわち、この取出口２８は、容器が横置き姿勢に置かれる場合には、容器の上面位置となり、容器が縦置き姿勢に置かれる場合には、容器の側面位置となる。取出口２８は、容器本体２２の端面部２２ｃに設けるようにしてもよい。
【００４７】
図７に示すように、取出口２８は、蓋体２４の外側面に形成された円形凹部２８ａと、その略中央に形成された中央部のくびれた楕円形の貫通孔２８ｂと、円形凹部２８ａの貫通孔２８ｂの周縁に形成された円形状の凸部２８ｃと、カバー部２９のタブ２９ｄが嵌る凹部２８ｄとを有している。
【００４８】
取出口２８を開閉自在に閉鎖するカバー部２９は、ヒンジ部２９ｂを介して蓋体２４に取り付けられている。カバー部２９は、蓋体２４の円形凹部２８ａと略同じ形状のカバー本体２９ａと、貫通孔２８ｂの周縁に形成された円形状の凸部２８ｃの外側に液密状に嵌る円形状の凸部２９ｃと、カバー部２９の開閉時に指で操作するタブ２９ｄとを有している。
【００４９】
図８は、ウェットティッシュ容器２０の使用時の斜視図であり、図９はそのＧ−Ｇ縦断面図であり、図１０はＨ−Ｈ横断面図である。
【００５０】
図１０に示すように、ウェットティッシュ４０は、容器内側に隆起した断面Ｖ形またはＵ形の峰部２１の上に支持され、Ｖ形またはＵ形に折り曲げられた状態でウェットティッシュ容器２０に収容されるようになっている。ウェットティッシュ４０は、図９に示すように、峰部２１が形成されていない平面部２２ａの部分にはほとんど支持されておらず、積層されたウェットティッシュ４０ｂを積層下端側から取出口２８に取り出す際には、容器内面から受ける摩擦抵抗力が低減されている。
【００５１】
また、図９に示すように、ウェットティッシュ４０は、連続取出し可能に折り畳まれ積層されている。すなわち、積層方向下端側または上端側の一のウェットティッシュ４０ｂを引き抜くと、その次に積層されたウェットティッシュも連れられて引き出され、連続して取出口２８から取り出せるようになっている。
【００５２】
図７に示すように、取出口２８には、取り出されるウェットティッシュ４０と次のウェットティッシュ４０とを引き離すセパレータ２８ｅが設けられている。セパレータ２８ｅは、取出口２８の貫通孔２８ｂの中央部の幅を両側から狭めている部分である。この構成により、ウェットティッシュ４０をより確実に１枚ずつ取出口２８から取り出すことができる。また、セパレータとして、中央にスリットまたは小径孔の形成された弾性材よりなる別部品を、貫通孔２８ｂに取り付けるようにしてもよい。
【００５３】
第２の実施形態においても、第１の実施形態と同様に、個々のシートに分離したウェットティッシュを折り曲げて収容しているので、従来のように個々のシートに分離する必要がなく、ウェットティッシュを取り出すのが容易である。
【００５４】
また、図２、図７に示すように、本発明の各実施形態に係るウェットティッシュ製品１、２は、積層された複数枚のウェットティッシュ４０と、上記実施形態のいずれかに記載のウェットティッシュ容器１０、２０とを備え、ウェットティッシュ４０がウェットティッシュ容器１０、２０に収容された構成である。
【００５５】
以上説明してきたように、本発明に係るウェットティッシュ容器は、第１〜第２の実施の形態に示すように、例えば、２つの形態を示すことができる。第１の実施の形態では、縦置きと横置きのいずれも可能で平面部１２ａに峰部１１が形成された容器本体１２と、容器本体１２の開口１３を閉じるキャップ形状の蓋体１４とを有し、容器本体１２に取出口１６を有する。第２の実施の形態では、縦置きと横置きのいずれも可能で平面部２２ａに峰部２１が形成された容器本体２２と、容器本体２２の開口２３を閉じるキャップ形状の蓋体２４とを有し、蓋体２４に取出口２８を有する。なお、本発明は、上記２つの形態に限定されない。例えば、直方体の一面部に峰部が設けられていてもよい。また、下面部が開口している容器本体と、容器本体の下面部の開口を閉じる蓋体とを備え、蓋体に峰部が設けられていてもよい。
【００５６】
本発明は、ウェットティッシュを容易に取り出すことができるという効果を有し、ウェットティッシュ容器およびウェットティッシュ製品の全般に有用である。
【符号の説明】
【００５７】
１、２  ウェットティッシュ製品
１０、２０  ウェットティッシュ容器
１１、２１  峰部
１２、２２  容器本体
１２ａ、２２ａ  平面部
１２ｂ、２２ｂ  筒面部
１３、２３  開口
１４、２４  蓋体
１６、２８  取出口
２８ｅ  セパレータ
４０  ウェットティッシュ
４０ｃ  ウェットティッシュの折り畳み線
４０ｄ  ウェットティッシュの幅中央線
４５  ウェットティッシュの全体
【図１】
2018070167.tif 000003
【図２】
2018070167.tif 000004
【図３】
2018070167.tif 000005
【図４】
2018070167.tif 000006
【図５】
2018070167.tif 000007
【図６】
2018070167.tif 000008
【図７】
2018070167.tif 000009
【図８】
2018070167.tif 000010
【図９】
2018070167.tif 000011
【図１０】
2018070167.tif 000012